(57)【要約】【課題】  ２つの情報記録層を有する光記録媒体に対して、光入射側から見て手前の記録層の記録状態によらず、奥の記録層に信頼性の高い記録を行う。【解決手段】  光入射側から見て奥の記録層１０３に合焦した時に、奥の記録層からの反射光を検出する第１の光検出器１１５の外周部に、手前の記録層１０５からの反射光を検出する第２の光検出器１１６を設け、奥の記録層に記録する際には、第２の光検出器の出力レベルに応じて記録パワーを制御する。【選択図】  図１
2005135459.tif 000002
【特許請求の範囲】
【請求項１】
光照射によって状態が変化することにより情報が記録される情報記録層を２層積層した記録媒体と、
光源と、
前記光源からの光を、光入射側に近い第１の情報記録層と光入射側から遠い第２の情報記録層に選択的に合焦させる光学系と、
前記光源からの光を前記第１又第２の情報記録層に合焦して照射したとき、当該合焦している情報記録層からの反射光を検出する第１の光検出器と、
前記光源からの光を前記第２の情報記録層に合焦して照射したとき前記第１の情報記録層から反射された光を検出する第２の光検出器と、
前記第２の光検出器からの検出信号に基づいて前記第２の情報記録層に照射する光のパワーを制御する制御回路とを有することを特徴とする情報記録装置。
【請求項２】
請求項１記載の情報記録装置において、前記第２の光検出器からの検出信号と前記第２の情報記録層に照射する光のパワーとの関係を記憶したテーブルを有することを特徴とする情報記録装置。
【請求項３】
請求項２記載の情報記録装置において、前記テーブルは、前記第１の情報記録層が記録状態のとき前記第２の情報記録層に照射する光のパワーと前記第２の光検出器の検出信号との関係、及び、前記第１の情報記録層が未記録状態のとき前記第２の情報記録層に照射する光のパワーと前記第２の光検出器の検出信号との関係を記憶していることを特徴とする情報記録装置。
【請求項４】
請求項１記載の情報記録装置において、前記第２の光検出器の出力が所定の閾値以上か否かを判定する判定回路を有し、前記制御回路は、前記判定回路の判定結果に応じて前記第２の情報記録層に照射する光のパワーを切り替えることを特徴とする情報記録装置。
【請求項５】
請求項１記載の情報記録装置において、前記第２の光検出器は、前記第１の光検出器の外周部に配置されていることを特徴とする情報記録装置。
【請求項６】
光照射によって状態が変化することにより情報が記録される情報記録層を２層積層した記録媒体に対して情報を記録する情報記録方法において、
試し書きによって、光入射側に近い第１の情報記録層の記録済み領域を通して光入射側から遠い第２の情報記録層に記録する第１の最適パワー値とその時の前記第１の情報記録層からの第１の反射光強度、及び前記第１の情報記録層の未記録領域を通して前記第２の情報記録層に記録する第２の最適パワー値とその時の前記第１の情報記録層からの第２の反射光強度を取得するステップと、
前記第２の情報記録層に合焦して光照射したときに、前記第１の情報記録層からの反射光強度を検出するステップと、
前記検出された信号に基づいて前記第２の情報記録層に照射する光のパワーを制御するステップとを含むことを特徴とする情報記録方法。
【請求項７】
請求項６記載の情報記録方法において、前記第２の情報記録層に照射する光のパワーは、前記第１の反射光強度に対する第１の最適パワー値と第２の反射光強度に対する第２の最適パワー値を、前記検出された反射光強度で線形補間したパワー値であることを特徴とする情報記録方法。
【請求項８】
請求項６記載の情報記録方法において、前記第１の反射光強度と前記第２の反射光強度から判定閾値を算出するステップを有し、前記検出された信号が前記判定閾値以上か否かに応じて、前記第２の情報記録層に照射する光のパワーを切り替えることを特徴とする情報記録方法。
【請求項９】
請求項６記載の情報記録方法において、前記第１の最適パワー値及び前記第２の最適パワー値は、ジッタを測定することにより決定することを特徴とする情報記録方法。
【請求項１０】
請求項６記載の情報記録方法において、前記第１の最適パワー値及び前記第２の最適パワー値は、アシンメトリを測定することにより決定することを特徴とする情報記録方法。
【請求項１１】
請求項６記載の情報記録方法において、前記第１の最適パワー値及び前記第２の最適パワー値は、変調度を測定することにより決定することを特徴とする情報記録方法。
【請求項１２】
光照射によって状態が変化することにより情報が記録される情報記録層を２層積層した記録媒体に対して情報を記録する情報記録方法において、
試し書きによって、光入射側に近い第１の情報記録層の記録済み領域を通して光入射側から遠い第２の情報記録層に記録する第１の最適パワー値Ｐ０、及び前記第１の情報記録層の未記録領域を通して前記第２の情報記録層に記録する第２の最適パワー値Ｐ１を取得するステップと、
前記第２の情報記録層に合焦してＰ０＜Ｐ＜Ｐ１、又は、Ｐ０＞Ｐ＞Ｐ１を満たす記録パワーＰを用いて情報を記録するステップとを含むことを特徴とする情報記録方法。
【発明の詳細な説明】
【技術分野】
【０００１】
本発明は、光の照射によって状態が変化する２つの情報記録層を有する光記録媒体に対する情報記録方法及び情報記録装置に関する。
【背景技術】
【０００２】
映像コンテンツ記録媒体として、ＤＶＤに代表される光ディスクの大容量化が進んでおり、直径１２０ｍｍのディスクに、高精細度テレビジョン（ＨＤＴＶ）の映像を２時間以上記録できる光ディスクの開発が進められてきた。最近になって、波長４０５ｎｍの半導体レーザと、開口数０．８５の対物レンズを用いて記録密度をＤＶＤの約５倍に高めることで、片面２５ＧＢ程度の記録容量を実現するBlu-ray Discと呼ばれる光ディスクの規格が制定され、これに対応するビデオ録画機も発売された。Blu-ray Discの規格については、”System Description Blu-ray Disc Rewritable Format part 1 Basic Format Specifications version 1.0”に記載されている。
【０００３】
光ディスクの大容量化のひとつの方法として高記録密度化が挙げられるが、レーザ波長及び対物レンズの制限から、光スポットサイズの微小化は限界に近づいており、記録密度の大きな向上は見込めなくなってきている。
【０００４】
一方、高記録密度化とは異なる大容量化の方法として、記録層の多層化がある。多層光ディスクは、既に再生専用光ディスクとしては、片面２層及び両面２層（全４層）の記録層を持つＤＶＤ−ＲＯＭディスクが製品化されている。記録型の多層光ディスクは、これまで製品としては存在しなかったが、最近、Blu-ray Discの２層書き換え型ディスクとして、初めて規格化された。
【０００５】
図２は、従来のBlu-ray Discの２層記録型光ディスクシステムの構成を説明する図である。２層光ディスク媒体１０１に、レーザダイオード１０７から出射されるレーザ光１０８を照射することで、情報の記録と再生を行う。レーザの波長は４０５ｎｍであり、開口数（ＮＡ）０．８５の対物レンズ１１２でレーザ光を記録層に合焦することで直径約４００ｎｍの光スポットを形成し、これを用いて情報の記録再生を行っている。情報を記録する際には、高パワーのレーザ光を照射することで記録層材料に物理的変化を与え、長短の記録マークを形成する。最短の記録マーク長は１６０ｎｍであり、記録層１層当たり約２３．３ＧＢ、すなわち２層光ディスク１枚当たり約４６．６ＧＢの情報を記録することができる。
【０００６】
２層光ディスク媒体１０１は、直径１２０ｍｍ、厚さ１．２ｍｍの円板であり、基板１０２、第１の記録層（Ｌ０層）１０３、中間層１０４、第２の記録層（Ｌ１層）１０５及びカバー層１０６を、順に積み重ねることで構成されている。基板１０２は、厚さ１．１ｍｍの円板であり、材料としてはポリカーボネート樹脂などが用いられている。基板表面には、光スポットを一定の半径位置に追従（トラッキング）させるための案内溝（トラック）が、０．３２μｍのピッチで、らせん状に形成されており、記録マークは、この案内溝の中に形成される。基板の次には、第１の記録層（Ｌ０層）１０３が形成されている。記録層は通常、記録膜を保護層で挟んだ構造となっており、記録膜材料としては、ＧｅＳｂＴｅ合金あるいはＡｇＩｎＳｂＴｅ合金などの相変化材料が用いられている。いずれの記録膜材料を用いた場合にも、二値データの”０”と”１”を、それぞれ高反射率の結晶部分と低反射率のアモルファス部分に割り当てて記録し、それらの反射率差を利用して二値データの”０”と”１”を判別することによりデータを再生している。Ｌ０層１０３の次に中間層１０４を挟んで、第２の記録層（Ｌ１層）１０５が形成されている。中間層１０４は、第１の記録層１０３と第２の記録層１０５を隔てるために形成され、その厚さは約２５μｍ、材料は紫外線硬化樹脂である。Ｌ１層１０５の構造はＬ０層１０３とほぼ同じである。最後に、ディスクの表面保護のために、厚さ７５μｍの紫外線硬化樹脂製のカバー層１０６が形成されている。
【０００７】
しかしながら、２層光ディスクにおいて、光入射側から見て奥のＬ０層に記録する場合に、手前のＬ１層上の未記録領域を通してＬ０層に記録する場合と、Ｌ１層上の記録済み領域を通して記録する場合では、Ｌ１層の実効的な透過率の違いのために、Ｌ０層に到達するレーザパワーが異なってしまう。
【０００８】
この問題に対して、特開２００３−１０９２１７号公報（特許文献１）では、Ｌ１層における未記録部分と記録済み部分の透過率差を制限することにより、Ｌ１層の記録状態によらず、Ｌ０層に対して一定の記録パワーで記録できるようにしている。別の方法として、特開２００２−２７９６３４号公報（特許文献２）では、Ｌ０層の再生ＲＦ信号レベルに応じて、Ｌ０層に対する記録パワーを制御することを提案している。
【０００９】
【特許文献１】特開２００３−１０９２１７号公報
【特許文献２】特開２００２−２７９６３４号公報
【非特許文献１】”System Description Blu-ray Disc Rewritable Format part 1 Basic Format Specifications version 1.0”
【発明の開示】
【発明が解決しようとする課題】
【００１０】
Ｌ０層に記録する際には、レーザ光は光入射側から見て手前のＬ１層を透過するが、通常は、図３のように、Ｌ１層上には未記録領域３０３と記録済み領域３０４が混在している。Ｌ１層の光学設計を行う際には、未記録領域と記録済み領域で、透過率が変化しないようにすることが望ましい。しかしながら、そうすることは困難な場合も多く、未記録領域３０３と記録済み領域３０４の間に数％から１０％程度の透過率差が生じてしまうことがある。
【００１１】
未記録部分と記録済み部分の間に数％から１０％程度の透過率差があると、特許文献１の方法では、記録パワーマージンが小さくなるため、一定の記録パワーを用いてＬ０層全体に渡って高い信頼性で記録を行うことは困難である。また、特許文献２の方法は、Ｌ０層に対する記録パワーを決定するためにＬ０層の再生ＲＦ信号を用いる必要があるため、これから記録しようとする未記録領域に対して記録パワーを決定できないという問題がある。
【００１２】
未記録領域３０３と記録済み領域３０４の間に透過率差があると、Ｌ１層上の未記録領域３０３を通してＬ０層に記録する場合と、記録済み領域３０４を通して記録する場合とでは、Ｌ１層の実効的な透過率の違いのために、Ｌ０層に到達するレーザパワーが異なってしまう。より正確に言うと、光スポット３０１としてＬ０層に合焦している時の、Ｌ１層の実効的な透過率は、Ｌ１層が未記録であるか記録済みであるかによって二値的に変化する訳ではなく、Ｌ１層上の光スポット３０２に占める未記録部分と記録済み部分の面積比に応じて連続的に変化する。
【００１３】
この現象が記録学習に及ぼす影響の一例を次に示す。図４は、２層追記型光ディスクにおいて、Ｌ０層に記録・再生を行った時の記録パワーとジッタの関係を、Ｌ１層が未記録であった場合と、Ｌ１層が記録済みであった場合に分けて示したものである。再生信号を二値化する前の波形等化処理として、リミットイコライザを適用した。リミットイコライザの詳細については、例えば、”S.Miyanabe et al.: Jpn.J.Appl.Phys.Vol.38 pp.1715”に記載されている。
【００１４】
この測定では、Ｌ１層の全領域が未記録であった場合、最適記録パワー、すなわちジッタが最小となる記録パワーは７．１ｍＷであり、この時のジッタは６．７％であった。一方、Ｌ１層の全領域が記録済みであった場合には、最適記録パワーは７．５ｍＷであった。すなわち、Ｌ１層が記録済みであった場合の最適記録パワーは、Ｌ１層が未記録であった場合と比較して約７％高パワー側にシフトした。仮に、Ｌ１層が記録済みの場合に、Ｌ１層が未記録の場合の最適記録パワー７．１ｍＷを用いて記録するとすれば、ジッタは７．０％となり、最適記録パワーを用いる場合よりも、０．３％増加することになる。
【００１５】
この結果は、例えば次のようなことを意味する。Ｌ０層に対する記録学習を行う際に、Ｌ１層上のレーザ光が通過する部分が未記録であったとし、この状態で決定した最適記録パワーを用いて、Ｌ０層全体に記録するものとする。そうすると、Ｌ１層上のレーザが通過する部分が未記録の場合は問題なく記録できるが、そこが記録済みの場合には、Ｌ０層に記録されたデータの再生信号のジッタが増加してしまう。このため、従来の２層光ディスクシステムにおいては、Ｌ０層全体に渡って高い信頼性でデータを記録することが困難であった。
【００１６】
本発明は、２層の情報記録層を有する光記録媒体に対して、光入射側から見て手前の記録層の記録状態によらず、奥の記録層に信頼性の高い記録を行うことのできる方法及び装置を提供することを目的とする。
【課題を解決するための手段】
【００１７】
本発明では、データ信号再生用及びサーボ信号取得用に通常用いられる第１の光検出器とは別に、Ｌ１層の記録状態を検出するための第２の光検出器を設けた。Ｌ０層に記録する際に、この第２の光検出器を用いてＬ１層の記録状態を検出し、その記録状態に応じた記録パワーを用いることにより、Ｌ１層の記録状態によらず信頼性の高い記録を行うことができる。
【００１８】
本発明による情報記録装置は、光照射によって状態が変化することにより情報が記録される情報記録層を２層積層した記録媒体と、光源と、光源からの光を、光入射側に近い第１の情報記録層と光入射側から遠い第２の情報記録層に選択的に合焦させる光学系と、光源からの光を第１又第２の情報記録層に合焦して照射したとき、当該合焦している情報記録層からの反射光を検出する第１の光検出器とを備え、更に光源からの光を第２の情報記録層に合焦して照射したとき第１の情報記録層から反射された光を検出する第２の光検出器と、第２の光検出器からの検出信号に基づいて第２の情報記録層に照射する光のパワーを制御する制御回路とを有することを特徴とする。第２の光検出器は、第１の光検出器の外周部に配置される。第２の光検出器からの検出信号と第２の情報記録層に照射する光のパワーとの関係は、試し書きによって導出され、テーブルの形で記憶される。
【００１９】
光照射によって状態が変化することにより情報が記録される情報記録層を２層積層した記録媒体に対して情報を記録する本発明の情報記録方法は、試し書きによって、光入射側に近い第１の情報記録層の記録済み領域を通して光入射側から遠い第２の情報記録層に記録する第１の最適パワー値とその時の第１の情報記録層からの第１の反射光強度、及び第１の情報記録層の未記録領域を通して第２の情報記録層に記録する第２の最適パワー値とその時の第１の情報記録層からの第２の反射光強度を取得するステップと、第２の情報記録層に合焦して光照射したときに、第１の情報記録層からの反射光強度を検出するステップと、その第２の光検出器からの検出信号に基づいて第２の情報記録層に照射する光のパワーを制御するステップとを含む。
【発明の効果】
【００２０】
本発明によれば、２層ディスクに対して、光入射側から見て手前の記録層の記録状態によらず、光入射側から見て奥の記録層に対して常に最適な記録パワーで記録することができるため、信頼性の高い２層光ディスクを提供することができる。
【発明を実施するための最良の形態】
【００２１】
以下、図面を参照して本発明の実施の形態を説明する。
図１は、本発明による情報記録装置の基本構成を模式的に示した図である。レーザダイオード１０７から出射した直線偏光のレーザ光１０８は、コリメートレンズ１０９を通過することで平行な光束となり、偏光ビームスプリッタ１１０に入射する。偏光ビームスプリッタ１１０は、ある方向の直線偏光をほぼ損失無く透過させ、それとは９０°だけ偏光方向がずれた直線偏光をほぼ損失無く反射させる光学素子である。ここでは、レーザダイオード１０７から出射したレーザ光の偏光方向の場合に透過するようになっている。偏光ビームスプリッタ１１０を透過した直線偏光のレーザ光は、１／４波長板１１１を通過することで円偏光に変わる。このレーザ光は、アクチュエータ１１３で位置制御された対物レンズ１１２により、Ｌ０層１０３に合焦されて反射する。このとき同時に、Ｌ１層１０５においても、レーザ光の一部が反射する。Ｌ０層１０３及びＬ１層１０５で反射したレーザ光は、再び１／４波長板１１１を通過することにより直線偏光に戻るが、偏光方向はレーザダイオード１０７から出射された元のレーザ光から９０°だけずれる。このため偏光ビームスプリッタ１１０により反射され、直角方向に進行方向を変える。進行方向を変えたレーザ光は、絞り込みレンズ１１４により光検出器面上に集光される。この時、Ｌ０層１０３で反射したレーザ光は第１の光検出器１１５上に合焦する。
【００２２】
ここで、レーザダイオード１０７のレーザ波長λ、対物レンズ１１２の開口数ＮＡ０、絞り込みレンズ１１４の開口数ＮＡ１、カバー層１０６の屈折率ｎ及び中間層１０４の厚さｄの各パラメータは、下記の通りであるとする。
λ＝４０５ｎｍ
ＮＡ０＝０．８５
ＮＡ１＝０．１
ｎ＝１．６
ｄ＝２５μｍ
【００２３】
レーザ光を光入射側から見て奥のＬ０層１０３に合焦すると、Ｌ０層上に直径約４００ｎｍの微小な光スポット３０１（図３参照）が形成される。この時、同時に、光入射側から見て手前のＬ１層１０５上に形成される光スポット３０２（図３参照）の直径は、幾何光学的に下式（１）で計算されるから、この例では約３１μｍとなる。これは、トラックピッチが０．３２μｍであるとすれば、約１００トラック分の幅に相当することになる。
【００２４】
【数１】
2005135459.tif 000003
【００２５】
次に光検出器１１５の面上での光スポットについて考える。図５は、光検出器の配置と、Ｌ０層に合焦した時の、光検出器面上での光スポットを模式的に示す図である。レーザ光がＬ０層１０３に合焦しているとき、Ｌ０層１０３で反射したレーザ光は、図５に示すように、第１の光検出器１１５の面上に光スポット５０１として合焦される。ところが、Ｌ１層１０５で反射したレーザ光は、光検出器面上に合焦されず、そこで光スポットが大きく広がる。そのスポット径は、幾何光学的に次式（２）で計算されるから、この例では、約４５０μｍとなる。
【００２６】
【数２】
2005135459.tif 000004
【００２７】
通常、第１の光検出器１１５の大きさは数１０μｍ角である。従って、図５に示すように、Ｌ１層１０５で反射したレーザ光が光検出器面上につくる光スポット５０２は、第１の光検出器１１５の外側に大きくはみ出すことになる。本発明では、この現象を積極的に利用して、データ再生信号及びサーボ信号を取得するために、第１の光検出器１１５とは別の、第２の光検出器１１６を、第１の光検出器１１５の外周部に設けた。
【００２８】
レーザ光がＬ０層１０３に合焦している時、Ｌ０層１０３で反射したレーザ光は第１の光検出器１１５に入射する。一方、Ｌ１層１０５で反射したレーザ光は、検出器面上に合焦せず大きな光スポットとなり、第１の光検出器１１５及び第２の光検出器１１６の両方に入射する。第２の光検出器１１６は、Ｌ１層１０５からの反射光のみを受光するため、その出力信号はＬ１層１０５の反射率のみを反映している。そこで、この第２の光検出器１１６を用いることで、Ｌ０層１０３に合焦した状態でも、Ｌ１層１０５からの反射光を、Ｌ０層１０３からの反射光と分離して検出することができるため、Ｌ１層１０５の記録状態を精度良く知ることができるようになる。
【００２９】
第１の光検出器１１５は、図１２に示すように、ディスクの半径方向及び周方向に対応してそれぞれ２分割、計４分割された構造となっている。４分割された各光検出器Ａ、Ｂ、Ｃ、Ｄの出力信号ＩＡ，ＩＢ，ＩＣ，ＩＤを演算した（ＩＡ＋ＩＢ＋ＩＣ＋ＩＤ）及び｛（ＩＡ＋ＩＤ）−（ＩＢ＋ＩＣ）｝は、それぞれ再生ＲＦ信号及びトラッキング誤差信号として使用される。
【００３０】
ところで、Ｌ０層１０３に到達するレーザパワーに影響を及ぼすのは、Ｌ１層１０５の実効的な透過率であるが、本発明では実効的な反射率を検出することで、これを代用している。先に述べたように、通常の記録層構造において、未記録領域と記録済み領域の間の透過率差は、数％から１０％以内の範囲である。これに対して、反射率の変化は数１０％に及ぶ。従って、本発明のように、反射率の変化から間接的に透過率の変化を検出することで、Ｌ１層１０５の記録状態を精度良く検出することができる。ここで、記録領域に記録されているデータパターンは、どのようなものであっても良い。これは、マークエッジ記録の光ディスクでは、ラン長制限符号によるＤＳＶ（Digital Sum Value）制御を行っており、記録データパターンに依らず、平均マーク長と平均スペース長がほぼ等しくなっているためである。このため、Ｌ１層上の光スポット中に占める記録部分（マーク部分）の割合は、記録データパターンに依らない。
【００３１】
なお、本発明の記録方法において、Ｌ０層１０３に対する記録パワーを決定する際に、Ｌ１層１０５の実効的な反射率を直接検出しており、Ｌ０層１０３の記録状態は無関係である。このため、特許文献２のように、Ｌ０層１０３に事前に記録されている必要が無い。更に、Ｌ０層１０３に記録中でもＬ１層１０５の記録状態を判定することができるため、リアルタイムの記録パワー補正が可能となった。
【００３２】
次に、記録学習の方法を説明する。図６に示すように、破線で囲んで示した記録学習領域６０１の全部又は一部を領域Ａ、領域Ｂ、領域Ｃの３つに分ける。各領域の使用目的は下記の通りである。
領域Ａ：Ｌ１層に対する最適記録パワーを求めるための領域。
領域Ｂ：Ｌ１層上の光スポット中の全領域が未記録である場合における、Ｌ０層に対する最適記録パワーを求めるための領域。
領域Ｃ：Ｌ１層上の光スポット中の全領域が記録済みである場合における、Ｌ０層に対する最適記録パワーを求めるための領域。
【００３３】
領域Ａ、領域Ｂ及び領域Ｃのいずれの領域も、Ｌ１層上の光スポットの全体を含むことができるように、ディスクの半径方向及び周方向に、十分な幅を持っていなければならない。なお、図６の例では、記録学習領域を３つの領域に分ける際に、リング状に分割したが、分割方法は任意である。例えば、ディスクの周方向に３分割しても良い。
【００３４】
図７は、本発明における記録学習の手順を説明する図であり、２層光ディスク媒体を記録層の断面方向から見た模式図である。記録学習は、図６に示した記録学習領域６０１を用いて下記の（１）〜（５）の手順で行う。
（１）領域Ａにおいて、レーザ光をＬ１層に合焦させた状態で、記録パワーを変化させながら記録を行い、Ｌ１層に対する最適記録パワーＰＬ１を求める。
（２）領域Ｂは未記録のままとし、Ｌ１層上の光スポット中の全領域が未記録である場合における、Ｌ０層に対する最適記録パワーを求めるための領域とする。
（３）領域Ｃの全体に、（１）で求めたＬ１層に対する最適記録パワーＰＬ１にて記録することで、Ｌ１層上の光スポット中の全領域が記録済みである場合における、Ｌ０層に対する最適記録パワーを求めるための領域を作成する。
（４）レーザ光がＬ０層に合焦した状態で、領域Ｂにおける第２の光検出器１１６の出力レベルＩL0、unrec及び最適記録パワーＰL0、unrecを測定する。
（５）レーザ光がＬ０層に合焦した状態で、領域Ｃにおける第２の光検出器１１６の出力レベルＩL0、rec及び最適記録パワーを測定する。
【００３５】
ここで、（３）において、記録するデータパターンとしては、どのようなものを用いても良い。なお、上記（１）、（４）及び（５）において、最適記録パワーＰＬ１、ＰL0、unrec及びＰL0、recは、次の３種類の方法のいずれかによって決定する。
【００３６】
（ｉ）ジッタを測定する方法
この方法では、記録パワーを変化させながら記録し、ジッタを測定する。ジッタとは、二値化された再生信号と、再生信号を用いてＰＬＬ（Phase Locked Loop）で生成されたクロック信号の間の時間差の標準偏差を、データ検出窓幅（ここではクロック周期）で規格化したものである。データの再生は、ＰＬＬで生成されたクロックに同期して行われるから、記録されたデータを誤り無く再生するためには、ジッタが小さくなるように記録することが好ましい。図８は、記録パワーとジッタの関係を模式的に示した図である。最適記録パワーは、ジッタが最小となる記録パワーとする。
【００３７】
（ii）アシンメトリを測定する方法
この方法では、記録パワーを変化させながら記録し、アシンメトリを測定する。ここで、アシンメトリを次のように定義する。
（アシンメトリ）＝（（（Ｉ2H＋Ｉ2L）−（Ｉ8H＋Ｉ8L））／２）／（Ｉ8H−Ｉ8L）
ただし、
Ｉ2H＝最短スペースの再生信号レベル
Ｉ2L＝最短マークの再生信号レベル
Ｉ8H＝最長スペースの再生信号レベル
Ｉ8L＝最長マークの再生信号レベル
である。図９は、記録パワーとアシンメトリの関係を示す摸式図である。最適記録パワーは、アシンメトリが所定の値Ａになる記録パワーとする。
【００３８】
（iii）変調度を測定する方法
この方法では、記録パワーを変化させながら記録し、変調度を測定する。ここで、変調度を次のように定義する。
（変調度）＝（Ｉ8H−Ｉ8L）／Ｉ8H
ただし、
Ｉ8H＝８Ｔスペースの再生信号レベル
Ｉ8L＝８Ｔマークの再生信号レベル
とする。図１０は、記録パワーと変調度の関係を示す摸式図である。変調度が所定の値Ｍになる記録パワーがＰmodであるとき、最適記録パワーは、Ｐmodに所定の定数ｋを乗算したものとする。
【００３９】
上記（１）〜（５）の手順が完了し、ユーザデータ領域に記録を行う場合、Ｌ１層に記録する場合の記録パワーは、ＰＬ１を用いる。Ｌ０層に記録するときの記録パワーの制御について、次に説明する。ここでは、Ｌ０層に対する記録パワーの制御方法として３通りの方法について説明する。
【００４０】
＜制御方法１＞
Ｌ０層上の任意の位置での最適記録パワーＰＬ０は、そこでの第２の光検出器の出力レベルがＩＬ０であるとき、（４）及び（５）における第２の光検出器の出力レベル及び最適記録パワーについての線形補間として、次式（３）で与えられる（図１１参照）。従って、第２の光検出器の出力レベルがＩＬ０であるとき、Ｌ０層の記録パワーＰＬ０を式（３）を満たすように設定する。
【００４１】
【数３】
2005135459.tif 000005
【００４２】
具体的な制御方法を、図１２の回路ブロック図を用いて説明する。記録学習により求められた第２の光検出器１１６の出力値及び最適記録パワー値ＩL0、unrec、ＰL0、unrec、ＩL0、rec、ＰL0、recを用いて、上式（３）に従って、第２の光検出器の出力レベルの様々な値について求められた最適記録パワーを、例えば図１３のような形式で、予めテーブル９０５に格納しておく。
【００４３】
Ｌ０層に記録する際には、ディスク上の記録しようとする位置で、第２の光検出器１１６は、受光したレーザ光のパワーに比例する信号ＩＥを出力する。信号ＩＥは、アナログ−デジタル変換器９０３によりデジタル信号に変換される。レーザパワーコントローラ９０４は、第２の光検出器出力に対応する記録パワーを、テーブル９０５を参照することにより算出する。算出された最適記録パワーＰＬ０に対応する記録パワー設定値をレーザドライバ９０６に設定し、レーザダイオード１０７に供給する電流値を変化させることにより、レーザダイオード１０７の出力パワーを制御する。
【００４４】
＜制御方法２＞
Ｌ０層に対する記録パワーを２段階で切り替える方法について説明する。記録学習は、前記（１）〜（５）の手順に従って行い、求められたＩL0、unrec及びＩL0、recから、次式に従って判定閾値Ｉthrを算出する。
Ｉthr＝（ＩL0、unrec＋ＩL0、rec）／２
Ｌ０層に記録する際には、ディスク上の記録しようとする位置で、第２の光検出器の出力レベルを測定し、これが判定閾値Ｉthrより大きい場合には記録パワーをＰL0、unrecとし、判定閾値より小さい場合には記録パワーをＰL0、recとする。
【００４５】
具体的な制御方法を、図１４の回路ブロック図を用いて説明する。第２の光検出器１１６は、受光したレーザ光のパワーに比例する信号ＩＥを出力する。信号ＩＥは、アナログ−デジタル変換器９０３によりデジタル信号に変換される。判定回路９０８において、予め求められた判定閾値Ｉthrとの間で大小が比較され、判定結果がレーザパワーコントローラ９０４に送られる。レーザパワーコントローラ９０４は、判定結果が、ＩＥ＜ＩthrであるかＩＥ＞Ｉthrであるかによって、それぞれ記録パワーがＰL0、unrecまたはＰL0、recとなるように、レーザドライバ９０６の設定値を切り替える。
【００４６】
この方式では、Ｌ１層が未記録である場合と記録済みである場合に対応する２種類の記録パワーを切り替えるのみである。このため、常に最適記録パワーで記録されておらず、制御方法１と比較すると、記録マーク品質の観点からは不利である。しかしながら、制御方法１のようなテーブルを作成する必要がなく、レーザパワーコントローラ回路の構成を簡素化することが可能であるため、記録再生装置の製造コストを低減することができる。
【００４７】
＜制御方法３＞
Ｌ０層に記録する際に、上の２つの方式では、ディスク上の記録しようとする位置における第２の光検出器の出力に応じて記録パワーを変化させた。ここで説明する方式では、上記（１）〜（５）の手順に従う記録学習により求められた最適記録パワー値ＰL0、unrec、ＰL0、recから次式（４）又は（５）によって決定される一定の記録パワーＰＬ０を用いる。
ＰL0、unrec＜ＰＬ０＜ＰL0、rec      （４）
ＰL0、unrec＞ＰＬ０＞ＰL0、rec      （５）
例えば、
ＰＬ０＝（ＰL0、rec＋ＰL0、unrec）／２
とする。この方式では、Ｌ０層に対する記録パワーが一定であり、記録マーク品質の観点では、制御方法２とほぼ同等である。しかしながら、記録パワー制御回路を必要としないため、制御方法２と比較しても、装置の構成をより簡素化することができ、記録再生装置の製造コストを低減することが可能である。
【図面の簡単な説明】
【００４８】
【図１】本発明による情報記録装置の基本構成を模式的に示した図。
【図２】従来の２層光ディスクシステムの構成を示す図。
【図３】レーザ光をＬ０層に合焦させたときの、Ｌ０層上及びＬ１層上での光スポットの様子を示す図。
【図４】Ｌ０層に記録した時の、記録パワーとジッタの関係を示す図。
【図５】本発明における、光検出器の配置と、Ｌ０層に合焦した時の、光検出器面上での光スポットを模式的に示す図。
【図６】記録学習領域の例を示す図。
【図７】記録学習の手順を説明する図。
【図８】記録パワーとジッタの関係を模式的に示した図。
【図９】記録パワーとアシンメトリの関係を示す摸式図。
【図１０】記録パワーと変調度の関係を示す摸式図。
【図１１】第２の光検出器の出力と最適記録パワーの関係を示す図。
【図１２】記録パワーの制御方法の一例を示す回路ブロック図。
【図１３】第２の光検出器の出力レベルと記録パワーの関係を格納したテーブルの例を示す図。
【図１４】記録パワーの制御方法の他の例を示す回路ブロック図。
【符号の説明】
【００４９】
１０１…２層光ディスク媒体、１０２…基板、１０３…Ｌ０層、１０４…中間層、１０５…Ｌ１層、１０６…カバー層、１０７…レーザダイオード、１０８…レーザ光、１０９…コリメートレンズ、１１０…偏向ビームスプリッタ、１１１…１／４波長板、１１２…対物レンズ、１１３…アクチュエータ、１１４…絞り込みレンズ、１１５…第１の光検出器、１１６…第２の光検出器、３０１…Ｌ０層上の光スポット、３０２…Ｌ１層上の光スポット、３０３…未記録領域、３０４…記録済み領域、５０１…Ｌ０層で反射したレーザ光が光検出器面上につくる光スポット、５０２…Ｌ１層で反射したレーザ光が光検出器面上につくる光スポット、６０１…記録学習領域、９０３…アナログ−デジタル変換器、９０４…レーザパワーコントローラ、９０５…テーブル、９０６…レーザドライバ、９０８…判定回路
【図１】
2005135459.tif 000006
【図２】
2005135459.tif 000007
【図３】
2005135459.tif 000008
【図４】
2005135459.tif 000009
【図５】
2005135459.tif 000010
【図６】
2005135459.tif 000011
【図７】
2005135459.tif 000012
【図８】
2005135459.tif 000013
【図９】
2005135459.tif 000014
【図１０】
2005135459.tif 000015
【図１１】
2005135459.tif 000016
【図１２】
2005135459.tif 000017
【図１３】
2005135459.tif 000018
【図１４】
2005135459.tif 000019